(57)【特許請求の範囲】
【請求項１】
台所に設けられた台所用リモコンと、浴室内に設けられた浴室用リモコンとを備えた給湯装置において、
前記浴室内の状態を検知する状態検知センサと、
台所用リモコンに対して浴室用リモコンが優先となる時間帯の過去のデータを記憶する記憶手段と、
浴室用リモコンに対して台所用リモコンが優先される状態において、状態検知センサによって浴室内の所定の状態が検知されるとともに、記憶手段に記憶されたデータから設定される浴室用リモコンの操作が優先となる時刻になると、台所用リモコンに対して浴室用リモコンを優先する制御手段を備えた
ことを特徴とする給湯装置。
【請求項２】
前記台所用リモコンに対して浴室用リモコンが優先される状態において、状態検知センサによって浴室内の前記所定の状態以外の他の所定の状態が検知されるとともに、記憶手段に記憶されたデータから設定される台所用リモコンが優先となる時刻になると、台所用リモコンに対する浴室用リモコンの優先を解除する制御手段を備えた
ことを特徴とする請求項１記載の給湯装置。
【請求項３】
前記台所用リモコンに対して浴室用リモコンを優先する際に、供給する湯の設定温度が第１所定温度以上の場合に、設定温度を第１所定温度以下の第２所定温度とする制御手段を備えた
ことを特徴とする請求項１又は請求項２記載の給湯装置。
【発明の詳細な説明】
【技術分野】
【０００１】
本発明は、リモコンによって設定した温度の湯を供給可能な給湯装置に関するものである。
【背景技術】
【０００２】
従来、この種の給湯装置としては、台所に設けられた台所用リモコンと、浴室内に設けられた浴室用リモコンとを備え、給湯温度等の設定について、通常は台所リモコンを優先し、入浴等の浴室を利用する際に台所用リモコンに対して浴室用リモコンを優先するようにしたものが知られている（例えば、特許文献１参照）。
【特許文献１】特開２００２−１９５６４９号公報
【発明の開示】
【発明が解決しようとする課題】
【０００３】
従来の給湯装置では、台所用リモコンから浴室リモコンに優先権を自動的に切り換えるために、浴室内に赤外線人感センサ等の人体検知センサを設け、人体検知センサによって浴室内の人を検知して優先権を切り替えるようになっている。しかし、浴室内は、温度、湿度等の環境の変化が大きく、誤検知によって、浴室内の人が検知されず優先権が切り替わらなかったり、不要に浴室リモコンに優先権が切り替わったりするおそれがある。
【０００４】
本発明は前記問題点に鑑みてなされたものであり、その目的とするところは、浴室内の人を確実に検知することのできる給湯装置を提供することにある。
【課題を解決するための手段】
【０００７】
本発明は前記目的を達成するために、台所に設けられた台所用リモコンと、浴室内に設けられた浴室用リモコンとを備えた給湯装置において、前記浴室内の状態を検知する状態検知センサと、台所用リモコンに対して浴室用リモコンが優先となる時間帯の過去のデータを記憶する記憶手段と、浴室用リモコンに対して台所用リモコンが優先される状態において、状態検知センサによって浴室内の所定の状態が検知されるとともに、記憶手段に記憶されたデータから設定される浴室用リモコンが優先となる時刻になると、台所用リモコンに対して浴室用リモコンを優先する制御手段を備えている。
【０００８】
これにより、状態検知センサによって浴室内の所定の状態が検知されるとともに、記憶手段に記憶されたデータから設定される浴室用リモコンが優先となる時刻になると、台所用リモコンに対して浴室用リモコンが優先されることから、浴室内に赤外線人感センサ等の人体検知センサを設置することなく、確実に浴室の利用が検知される。
【発明の効果】
【００１１】
本発明によれば、浴室内に赤外線人感センサ等の人体検知センサを設置することなく、確実に浴室の利用を検知することができるので、浴室の利用の誤検知を防止することが可能となる。
【発明を実施するための最良の形態】
【００１２】
図１乃至図２は本発明の第１実施形態を示すもので、図１は給湯装置の概略構成図、図２はリモコンの優先切り替えに関する制御部の動作を示すフローチャートである。
【００１３】
この給湯装置は、水を加熱するためのヒートポンプユニット１０と、ヒートポンプユニット１０において加熱した温水を貯えるためのタンクユニット２０と、タンクユニット２０や浴室及び台所に水を供給するための給水管３０と、タンクユニット２０に貯えられた温水を浴室及び台所に供給するための給湯管４０と、ヒートポンプユニット１０とタンクユニット２０との間に水を循環させるための第１循環回路５０と、タンクユニット２０と浴室の浴槽６１の間に浴槽６１の水を循環させるための第２循環回路６０とを備えている。この給湯装置は、ヒートポンプユニット１０において加熱した温水をタンクユニット２０に貯え、タンクユニット２０に貯えられた温水を、台所での洗い物用の温水や浴室での入浴用の温水として供給する他、浴槽６１に貯められた湯の追い炊きの熱源として供給するものである。
【００１４】
ヒートポンプユニット１０は、電動の圧縮機１１、ガスクーラ１２、膨張弁１３及び蒸発器１４を有し、これらを銅またはステンレス等の管によって順次接続することにより冷媒回路１０ａが構成されている。また、冷媒回路１０ａには、高圧側が超臨界状態となる二酸化炭素が冷媒として充填されている。ガスクーラ１２は、冷媒−水熱交換器であり、水側の流路が第１循環回路５０の一部となっている。蒸発器１４は、冷媒−空気熱交換器であり、その近傍には冷媒と熱交換する空気を流通させるための送風機１４ａが設けられている。
【００１５】
タンクユニット２０は、貯湯タンク２１と、第２循環回路６０を流通する浴槽６１の水と貯湯タンク２１内の温水を熱交換するための追い炊き用熱交換器２２と、貯湯タンク２１と追い炊き用熱交換器２２との間に温水を循環させるための第３循環回路２３とを有している。
【００１６】
貯湯タンク２１は、ステンレスまたは繊維強化プラスチック（ＦＲＰ）等からなり、貯えた温水の放熱を抑制するために、グラスウールまたは発泡ウレタン等の断熱材によって外部が覆われている。
【００１７】
追い炊き用熱交換器２２は、水−水熱交換器であり、一方の流路が第２循環回路６０の一部となっており、他方の流路が第３循環回路２３の一部となっている。
【００１８】
第３循環回路２３は、貯湯タンク２１の上部、追い炊き用熱交換器２２、循環ポンプ２３ａ、貯湯タンク２１の下部の順に、銅管またはステンレス管によって接続することにより構成され、循環ポンプ２３ａによって貯湯タンク２１の上部の温水が追い炊き用熱交換器２２を流通して貯湯タンク２１の下部に戻るようになっている。
【００１９】
給水管３０は、貯湯タンク２１の下部に接続された第１給水管３１と、給湯管４０に接続された第２給水管３２と、浴室及び台所の水栓Ａに接続された第３給水管３３とを有している。第１給水管３１、第２給水管３２及び第３給水管３３の上流側の給水管３０には、上水道から供給される水を所定の圧力に減圧して流通させるための減圧弁３０ａが設けられている。
【００２０】
給湯管４０は、一端側が貯湯タンク２１の上部に接続され、他端側が貯湯タンク２１の温水と第２給水管３２を流通する水とを混合するための第１混合弁４０ａ及び第２混合弁４０ｂに接続された第１給湯管４１と、一端側が第１混合弁４０ａに接続され、他端側が浴室及び台所の水栓Ａに接続された第２給湯管４２と、一端側が第２混合弁４０ｂに接続され、他端側が第２循環回路６０に接続された第３給湯管４３とを有している。給湯管４０には、第１給水管３１から貯湯タンク２１内に流入する水の圧力によって、貯湯タンク２１の上部の温水が流通するようになっている。また、第３給湯管４３には、流路を開閉するための電磁弁４３ａが設けられている。
【００２１】
第１循環回路５０は、貯湯タンク２１の下部、循環ポンプ５１、ガスクーラ１２、貯湯タンク２１の上部を順に銅管、ステンレス管または架橋ポリエチレン管等によって接続することにより構成され、循環ポンプ５１によって貯湯タンク２１の下部の水がガスクーラ１２を流通し、貯湯タンク２１の上部に流入するようになっている。
【００２２】
第２循環回路６０は、浴槽６１、循環ポンプ６２、追い炊き用熱交換器２２、浴槽６１を順に銅管ステンレス管または架橋ポリエチレン管等によって接続することにより構成され、循環ポンプ６２によって浴槽６１の湯が追い炊き用熱交換器２２を流通し、浴槽６１に戻されるようになっている。
【００２３】
また、この給湯装置は、タンクユニット２０に設けられ、運転制御を行うための制御部７０と、台所及び浴室にそれぞれ設けられ、運転の操作及び設定を行うための台所用リモコン７１と及び浴室用リモコン７２とを備えている。
【００２４】
制御部７０は、マイクロコンピュータによって構成され、その記憶手段としてのメモリには、湯沸かし運転等の動作、運転モードの設定、台所用リモコン７１と浴室用リモコン７２の優先権の切り替えに関するプログラムや、過去の温水の使用状況等や過去の台所用リモコン７１に対して浴室用リモコン７２が優先となった時間帯等のデータが記憶されている。また、制御部７０には、第１混合弁４０ａ、第２混合弁４０ｂ、台所用リモコン７１及び浴室用リモコン７２が接続されている。制御部７０は、台所用リモコン７１または浴室用リモコン７２の温水の設定温度に応じた出力信号を第１混合弁４０ａ及び第２混合弁４０ｂに送信するようになっている。更に、制御部７０は、過去の所定期間に台所用リモコン７１に対して浴室用リモコン７２が優先となった時間帯から、台所用リモコン７１に対して浴室用リモコン７２を優先する判断基準となる時間帯を設定するようになっている。本実施形態では、台所用リモコン７１に対して浴室用リモコン７２を優先する判断基準となる時間帯を、過去の所定期間における台所用リモコン７１に対して浴室用リモコン７２が優先になった各時刻の前後に一定の時間を加えた時間帯の和集合としている。
【００２５】
台所用リモコン７１及び浴室用リモコン７２は、それぞれ通信ケーブルによって制御部７０に接続されており、浴槽６１への温水の供給や追い炊き等の運転に関するスイッチ、供給される温水の温度を設定するための温度設定スイッチ、台所用リモコンと浴室用リモコンの優先権を切り替えるための優先スイッチ、台所と浴室の間で会話するための通話スイッチ等の複数のスイッチ７１ａ，７２ａと、運転状態及び設定温度等を表示するための表示部７１ｂ，７２ｂとを有している。また、台所と浴室の間で会話を可能とするために、台所用リモコン７１及び浴室用リモコン７２には、それぞれスピーカ７１ｃ，７２ｃと状態検知センサとしてのマイク７１ｄ，７２ｄが設けられている。
【００２６】
以上のように構成された給湯装置において、例えば夜間等の設定された時間帯となるか、または、台所用リモコン７１または浴室用リモコン７２によって湯沸かし運転の操作がされると、圧縮機１１、送風機１４ａ及び循環ポンプ５１を運転し、湯沸かし運転を行う。これにより、圧縮機１１から吐出された冷媒は、ガスクーラ１２を流通して放熱した後に膨張弁１３を介して蒸発器１４に流入して吸熱し、圧縮機１１に吸入される。また、貯湯タンク２１の下部の水は、循環ポンプ５１によって第１循環回路５０を流通し、ガスクーラ１２において冷媒と熱交換することにより加熱され、貯湯タンク２１の上部側に貯えられる。予め設定された温度の温水が貯湯タンク２１に所定の量が貯えられると、圧縮機１１、送風機１４ａ及び循環ポンプ５１を停止する。
【００２７】
また、台所または浴室において水栓Ａから供給される温水は、貯湯タンク２１の上部の温水が第１給湯管４１を流通し、第１混合弁４０ａにおいて第２給水管３２を流通する水と混合されて台所用リモコン７１または浴室用リモコン７２において設定された設定温度の温水となり、第２給湯管４２を流通することにより供給される。
【００２８】
また、浴槽６１に温水を貯めるときに供給される温水は、貯湯タンク２１の上部の温水が第１給湯管４１を流通し、第２混合弁４０ｂにおいて第２給水管３２を流通する水と混合されて台所用リモコン７１または浴室用リモコン７２において設定された設定温度の温水となり、第３給湯管４３及び第２循環回路６０を流通することにより供給される。
【００２９】
また、追い炊き運転は、循環ポンプ２３ａ，６２を運転することにより、第２循環回路６０を浴槽６１の温水を循環させ、第３循環回路２３を貯湯タンク２１の温水を循環させる。これにより、浴槽６１の温水は、追い炊き用熱交換器２２において貯湯タンク２１の上部の温水と熱交換することにより加熱され、浴槽６１に戻される。
【００３０】
制御部７０は、通常、浴室用リモコン７２に対して台所用リモコン７１を優先するようになっており、台所用リモコン７１において設定された温度の温水が各水栓Ａから供給される。台所用リモコン７１に対して浴室用リモコン７２を優先させる場合には、浴室用リモコン７２の優先の切り替えを行うためのスイッチ７２ａを操作することによって優先権を浴室用リモコン７２側に切り替える。また、浴室用リモコン７２が優先となっているときに台所用リモコン７１を優先させる場合には、台所用リモコン７１の優先の切換を行うためのスイッチ７１ａを操作することによって優先権を台所用リモコン７１側に切り替える。
【００３１】
また、制御部７０は、浴室用リモコン７２に対して台所用リモコン７１が優先となっている場合に、浴室の利用と判断して優先権を浴室用リモコン７２側に切り替えるとともに、台所用リモコン７１に対して浴室用リモコン７２が優先となっている場合に、浴室の利用終了と判断して優先権を台所用リモコン７１側に切り替えるための自動優先切り替え手段を備えている。この自動優先切換手段に関する制御部７０の動作を、図２のフローチャートを用いて説明する。
【００３２】
まず、通常の状態において、浴室用リモコン７２に対して台所用リモコン７１を優先し（ステップＳ１）、浴室用リモコン７２を優先する設定時刻ｔ１になり（ステップＳ２）、更に、浴室用リモコン７２のマイク７２ｄによって検出される音量Ｄが所定音量Ｄ１以上となると、（ステップＳ３）、台所用リモコン７１に対して浴室用リモコン７２を優先する（ステップＳ４）。また、台所用リモコン７１から浴室用リモコン７２へ優先権を切り替える際に、温水の設定温度Ｔが所定温度Ｔｈ以上に設定されていることが検知されると（ステップＳ５）、温水の設定温度Ｔを標準の設定温度Ｔｓ（Ｔｈ≧Ｔｓ）に変更する（ステップＳ６）。次に、台所用リモコン７１に対して浴室用リモコン７２を優先している状態において、浴室用リモコン７２の優先を解除して台所用リモコン７１を優先する設定時刻ｔ２になり（ステップＳ７）、浴室用リモコン７２のマイク７２ｄによって検出される音量Ｄが所定音量Ｄ２（Ｄ１＞Ｄ２）以下となると（ステップＳ８）、浴室用リモコン７２に対して台所用リモコン７１を優先する（ステップＳ１）。
【００３３】
このように、本実施形態の給湯装置によれば、浴室用リモコン７２に対して台所用リモコン７１が優先している状態で、浴室用リモコン７２を優先する設定時刻ｔ１になるとともに、浴室用リモコン７２のマイク７２ｄによって所定以上の音量Ｄ１が検出されると、台所用リモコン７１に対して浴室用リモコン７２を優先するようにしたので、浴室内に赤外線人感センサ等の人体検知センサを設置することなく、確実に浴室の利用を検知することができ、浴室の利用の誤検知を防止することが可能となる。
【００３４】
また、台所用リモコン７１に対して浴室用リモコン７２を優先している状態において、浴室用リモコン７２の優先を解除して台所用リモコン７１を優先する設定時刻ｔ２になるとともに、浴室リモコン７２のマイク７２ｄによって検出される音量が所定以下の音量Ｄ２となると、浴室用リモコン７２に対して台所用リモコン７１を優先するようにしたので、優先を切り替える操作を必要とすることなく、台所用リモコン７１を優先することができ、操作性を向上させることが可能となる。
【００３５】
また、台所用リモコン７１から浴室用リモコン７２へ優先権を切り替える際に、温水の設定温度Ｔが所定温度Ｔｈ以上に設定されている場合には、温水の設定温度Ｔを標準の設定温度Ｔｓに変更するようにしたので、浴室の水栓Ａやシャワーから不用意に熱い温度の温水が供給されることを防止することができ、安全性の向上を図ることが可能となる。
【００３６】
尚、前記実施形態では、浴室の利用及び浴室の利用終了の判断を、過去の所定期間に台所用リモコン７１に対して浴室用リモコン７２が優先となった時間帯から設定される浴室用リモコン７２を優先する時間帯と浴室用リモコン７２のマイク７２ｄによる音量の検出の２つの判断基準によって行うようにしたものを示したが、過去の所定期間に台所用リモコン７１に対して浴室用リモコン７２が優先となった時間帯から設定される浴室用リモコン７２を優先する時間帯と浴室用リモコン７２のマイク７２ｄによる音量の検出のみに限られるものではない。
【００３７】
浴室の利用及び浴室の利用終了の判断の判断基準としては、過去の所定期間に台所用リモコン７１に対して浴室用リモコン７２が優先となった時間帯から設定される浴室用リモコン７２を優先する時間帯と浴室内の音量の他、浴室内の温度、浴室内の湿度または浴室内の明るさを判断基準として用いても良い。この場合、浴室の利用及び浴室の利用終了の判断は、過去の所定期間に台所用リモコン７１に対して浴室用リモコン７２が優先となった時間帯から設定される浴室用リモコン７２を優先する時間帯、浴室内の音量、浴室内の温度、浴室内の湿度及び浴室内の明るさのうち、少なくとも２以上の判断基準を用いることにより、前記実施形態と同様に、確実に浴室の利用を検知することが可能である。
【００３８】
浴室内の温度を優先切り替えの判断基準とする場合、浴室内に設けられた温度センサによって検出された温度が、第１所定温度以上のときに浴室用リモコン７２を優先すると判断し、第２所定温度（第１所定温度≧第２所定温度）より低くなったときに浴室リモコン７２の優先を解除すると判断する。
【００３９】
浴室内の湿度を優先切り替えの判断基準とする場合、浴室内に設けられた湿度センサによって検出された湿度が、第１所定湿度以上のときに浴室用リモコン７２を優先すると判断し、第２所定湿度（第１所定湿度≧第２所定湿度）より低くなったときに浴室リモコン７２の優先を解除すると判断する。
【００４０】
浴室内の明るさを優先切り替えの判断基準とする場合、浴室内に設けられた照度センサによって検出された照度が、第１所定照度以上のときに浴室用リモコン７２を優先すると判断し、第２所定照度（第１所定照度≧第２所定照度）より低くなったときに浴室リモコン７２の優先を解除すると判断する。
【００４１】
また、前記実施形態では、本実施形態では、台所用リモコン７１に対して浴室用リモコン７２を優先する判断基準となる時間帯を、過去の所定期間における台所用リモコン７１に対して浴室用リモコン７２が優先になった各時刻の前後に一定の時間を加えた時間帯の和集合としたものを示したが、過去の所定期間における台所用リモコン７１に対して浴室用リモコン７２が優先となった時間帯のうち、浴室用リモコン７２が優先となった頻度の高い時刻から浴室用リモコン７２の優先が解除されて台所用リモコン７１が優先となった頻度の高い時刻までの時間帯等を設定するようにしてもよい。
【００４２】
図３は本発明の第２実施形態を示すもので、リモコンの優先切り替えに関する制御部の動作を示すフローチャートである。尚、前記実施形態と同様の構成部分には同一の符号を付して示す。
【００４３】
この給湯装置の制御部７０は、浴室用リモコン７２に対して台所用リモコン７１が優先となっている場合に、浴室用リモコン７２の操作を検知することにより浴室の利用と判断して優先権を浴室用リモコン７２側に切り替えるとともに、台所用リモコン７１に対して浴室用リモコン７２が優先となっている場合に、浴室用リモコン７２の操作が所定時間以上無いことを検知することにより浴室の利用終了と判断して優先権を台所用リモコン７１側に切り替える自動優先切り替え手段を備えている。この自動優先切換手段に関する制御部７０の動作を、図３のフローチャートを用いて説明する。
【００４４】
まず、通常の状態において、浴室用リモコン７２に対して台所用リモコン７１を優先し（ステップＳ１１）、浴室用リモコン７２のスイッチ７２ａが操作されると（ステップＳ１２）、台所用リモコン７１に対して浴室用リモコン７２を優先する（ステップＳ１３）。また、台所用リモコン７１から浴室用リモコン７２へ優先権を切り替える際に、温水の設定温度Ｔが所定温度Ｔｈ以上に設定されていることが検知されると（ステップＳ１４）、温水の設定温度Ｔを標準の設定温度Ｔｓ（Ｔｈ≧Ｔｓ）に変更する（ステップＳ１５）。次に、台所用リモコン７１に対して浴室用リモコン７２を優先している状態において、浴室用リモコン７２のスイッチ７２ａの操作が所定時間ｔ３以上検知されないと（ステップＳ１６）、浴室用リモコン７２に対して台所用リモコン７１を優先する（ステップＳ１１）。
【００４５】
このように、本実施形態の給湯装置によれば、浴室用リモコン７２に対して台所用リモコン７１が優先している状態で、浴室用リモコン７２の操作が検知されると、台所用リモコン７１に対して浴室用リモコン７２を優先するようにしたので、浴室内に赤外線人感センサ等の人体検知センサを設置することなく、確実に浴室の利用を検知することができ、浴室の利用の誤検知を防止することが可能となる。
【００４６】
また、台所用リモコン７１に対して浴室用リモコン７２を優先している状態において、浴室用リモコン７２の操作が所定時間以上されないと、浴室用リモコン７２に対して台所用リモコン７１を優先するようにしたので、優先を切り替える操作を必要とすることなく、台所用リモコン７１を優先することができ、操作性を向上させることが可能となる。
【図面の簡単な説明】
【００４７】
【図１】本発明の第１実施形態を示す給湯装置の概略構成図
【図２】リモコンの優先切り替え制御に関する制御部の動作を示すフローチャート
【図３】本発明の第２実施形態を示す給湯装置のリモコンの優先切り替え制御に関する制御部の動作を示すフローチャート
【符号の説明】
【００４８】
７０…制御部、７１…台所用リモコン、７２…浴室用リモコン、７２ａ…スイッチ、７２ｄ…マイク。
【図１】
0005105280.tif 000002
【図２】
0005105280.tif 000003
【図３】
0005105280.tif 000004